(57)【要約】【課題】画像の不具合を低減することができる照明装置を提供する。【解決手段】照明装置は、照明部とカメラとを具備する。照明部は、所定の照射面を照明する。カメラは、照射面と向かい合うように照明部と隣り合う。また、カメラは、照明部よりも照射面までの距離が大きい。【選択図】図２
2019169388.tif 000002
【特許請求の範囲】
【請求項１】
所定の照射面を照明する照明部と；
前記照射面と向かい合うように前記照明部と隣り合うカメラと；
を具備し、
前記カメラは、前記照明部よりも前記照射面までの距離が大きい
ことを特徴とする照明装置。
【請求項２】
前記照明部と前記カメラとの間に、前記照射面までの距離が前記照明部よりも小さい遮光性の隔壁；
をさらに具備することを特徴とする請求項１に記載の照明装置。
【請求項３】
前記カメラを覆う遮光カバー；
を具備し、
前記遮光カバーは、前記カメラのレンズ周りに配置される開口と、前記開口の周縁から前記遮光カバーの前記照射面側の端部まで末広がり形状に傾斜する傾斜部とを有することを特徴とする請求項１または２に記載の照明装置。
【請求項４】
記録媒体を着脱可能な記録スロット；
を具備し、
前記記録スロットは、前記記録媒体の直接的な着脱が規制されていることを特徴とする請求項１〜３のいずれか１つに記載の照明装置。
【発明の詳細な説明】
【技術分野】
【０００１】
本発明の実施形態は、照明装置に関する。
【背景技術】
【０００２】
周囲を撮像可能なカメラを備える照明装置が知られている。かかる照明装置は、例えば街路灯として屋外で利用されるほか、屋内での監視用途にも導入されつつある。
【先行技術文献】
【特許文献】
【０００３】
【特許文献１】特開２０１７−５９４１４号公報
【発明の概要】
【発明が解決しようとする課題】
【０００４】
ところで、照明装置が有する発光素子が放射した光がカメラのレンズに入り込むと、撮像された画像が不明瞭となる不具合が生じるおそれがあった。
【０００５】
本発明が解決しようとする課題は、画像の不具合を低減することができる照明装置を提供することである。
【課題を解決するための手段】
【０００６】
実施形態に係る照明装置は、照明部とカメラとを具備する。照明部は、所定の照射面を照明する。カメラは、照射面と向かい合うように照明部と隣り合う。また、カメラは、照明部よりも照射面までの距離が大きい。
【発明の効果】
【０００７】
本発明によれば、画像の不具合を低減することができる照明装置を提供することができる。
【図面の簡単な説明】
【０００８】
【図１】図１は、実施形態に係る照明装置の外観例を示す斜視図である。
【図２】図２は、実施形態に係る照明装置を示す側面図である。
【図３】図３は、実施形態に係る照明装置の構成の一例を模式的に示すブロック図である。
【図４】図４は、実施形態に係る照明装置が備える記録スロットの配置例を示す図である。
【図５】図５は、実施形態に係る照明装置が備える記録スロットの配置例を示す図である。
【図６】図６は、実施形態に係る照明装置が備える記録スロットの配置例を示す図である。
【図７】図７は、実施形態の変形例に係る照明装置が備える隔壁を示す図である。
【発明を実施するための形態】
【０００９】
以下に説明する実施形態に係る照明装置１００は、照明部２とカメラ１７とを具備する。照明部２は、所定の照射面を照明する。カメラ１７は、照射面と向かい合うように照明部２と隣り合う。また、カメラ１７は、照明部２よりも照射面までの距離が大きい。
【００１０】
また、以下に説明する実施形態に係る照明装置１００は、照明部２とカメラ１７との間に、照射面までの距離が照明部２よりも小さい遮光性の隔壁５２をさらに具備する。
【００１１】
また、以下に説明する実施形態に係る照明装置１００は、カメラ１７を覆う遮光カバー５０を具備する。遮光カバー５０は、カメラ１７のレンズ１７ａ周りに配置される開口５６と、開口５６の周縁から遮光カバー５０の照射面側の端部５３ａまで末広がり形状に傾斜する傾斜部５５とを有する。
【００１２】
また、以下に説明する実施形態に係る照明装置１００は、記録媒体２１を着脱可能な記録スロット１８を具備し、記録スロット１８は、記録媒体２１の直接的な着脱が規制されている。
【００１３】
以下に、本発明に係る実施形態を図面に基づき説明する。なお、以下に示す実施形態は、本発明が開示する技術を限定するものではない。また、実施形態において同一の部位には同一の符号を付し、重複する説明は適宜省略する。
【００１４】
図１は、実施形態に係る照明装置の外観例を示す斜視図である。図２は、実施形態に係る照明装置を示す側面図である。図１、図２に示すように、照明装置１００は、発光ユニット２、カメラ１７、本体部４、遮光カバー５０を有する。照明装置１００は、本体部４が天井面へ設置され、発光ユニット２から出力される光が照射面の一例である床面へと照射される天井直付けタイプの照明装置である。照明装置１００は、例えば工場での生産ラインの監視やオフィス内での従業員の状態監視などの用途で主に屋内で使用される。発光ユニット２は、照明部の一例である。
【００１５】
なお、説明を分かりやすくするために、図１には、鉛直下向きを正方向とし、鉛直上向きを負方向とするＺ軸を含む３次元の直交座標系を図示している。また、Ｘ軸は照明装置１００の長手方向に、Ｙ軸は照明装置１００の短手方向に、それぞれ沿うように図示している。かかる直交座標系は、後出の説明に用いる他の図面でも示す場合がある。
【００１６】
発光ユニット２は、Ｙ軸方向に沿うように配置された、長尺状のシャーシまたは基板（不図示）上に所定の間隔で配置された複数の発光素子（不図示）を有し、シャーシとの間に発光素子が収容されるよう床面側、すなわちＺ軸負方向側に拡散カバー２０が設けられた発光バーである。
【００１７】
拡散カバー２０は、例えば、アクリルやポリカーボネート等の透光性の材料から作られている。拡散カバー２０は、フロスト処理が施されて複数の発光素子から出射される光を拡散する機能を有するようになっている。なお、拡散カバー２０に適宜拡散材や着色剤を混入させてもよい。
【００１８】
カメラ１７は、例えばＣＣＤ（Charge  Coupled  Device）やＣＭＯＳ（Complementary  Metal  Oxide  Semiconductor）など、電子的に画像を取得する撮像素子を備える。カメラ１７は、レンズ１７ａを有し、上記した照射面と向かい合うように発光ユニット２のＸ軸負方向側に隣り合って配置される。また、図２に示すように、カメラ１７の下端、すなわちＺ軸負方向側の端部は、発光ユニット２の下端、すなわち拡散カバー２０の外面２０ａよりも高さｈ１の分だけ本体部４寄りに配置されている。すなわち、カメラ１７は、発光ユニット２よりも高さｈ１の分だけ照射面までの距離が大きい。このようにカメラ１７の配置を規定することで、発光ユニット２の拡散カバー２０から照射された光がカメラ１７のレンズ１７ａに入り込みにくくなり、カメラ１７で撮像された画像の不具合を低減することができる。
【００１９】
本体部４は、発光ユニット２およびカメラ１７を保持する。また、本体部４は、照明装置１００を天井その他の所定の位置に取り付けるための取付部材を兼ねる。
【００２０】
遮光カバー５０は、本体部４との間にカメラ１７を覆うようにカメラ１７のＺ軸負方向側に配設される。図２に示すように、遮光カバーの外面５３の下端５３ａは、発光ユニット２の下端である拡散カバー２０の外面２０ａよりも高さｈ２の分だけ本体部４から離れて配置されている。すなわち、遮光カバー５０の下端５３ａは、発光ユニット２よりも高さｈ２の分だけ照射面までの距離が小さい。このような遮光カバー５０を設けることにより、遮光カバー５０の長さ方向の両端に配置される側壁５１、５２のうち、発光ユニット２側に配置された側壁５２は、発光ユニット２とカメラ１７との間に設けられた隔壁として機能する。すなわち、発光ユニット２は、図２における一点鎖線で示される照射範囲Ｌ１でカメラ１７側に光を照射する。このような側壁５２を有する遮光カバー５０を配設することで、発光ユニット２の拡散カバー２０から照射された光がカメラ１７のレンズ１７ａにさらに入り込みにくくなり、カメラ１７で撮像された画像の不具合を低減することができる。
【００２１】
また、遮光カバー５０は、開口５６と傾斜部５５とを有する。開口５６は、遮光カバー５０の外面５３と内面５４とを貫通する貫通口であり、レンズ１７ａと対向する位置に設けられる。傾斜部５５は、開口５６の外面５３側の周縁から遮光カバー５０の照射面側の端部である下端５３ａまで末広がり形状に傾斜するように設けられている。このように傾斜部５５を設けることで、カメラ１７は、図２における二点鎖線で示される撮像可能範囲Ｌ２で撮像することができる。このような開口５６および傾斜部５５を有する遮光カバー５０を配設することで、発光ユニット２の拡散カバー２０から照射された光をカメラ１７のレンズ１７ａに入り込みにくくすることができ、さらにカメラ１７の撮像範囲を広くとることが可能となる。
【００２２】
次に、図３を用いて、照明装置１００の機能的構成について説明する。図３は、実施形態に係る照明装置の構成の一例を模式的に示すブロック図である。
【００２３】
図３に示すように、照明装置１００は、本体部４、発光ユニット２、撮像ユニット３、記録スロット１８を備える。
【００２４】
本体部４は、電源部１１、蓄電部１２、制御部１５を有する。電源部１１は、交流電源２２から供給された交流電力を直流電力に変換して出力する。交流電源２２は、例えば商用電源である。
【００２５】
また、電源部１１は、蓄電部１２の充放電動作を行う。蓄電部１２は、例えばリチウムイオン電池等の二次電池である。本実施形態の蓄電部１２は、本体部４の内部に着脱可能な電池モジュールである。例えば停電により電源部１１からの電力供給が遮断された場合には、蓄電部１２に蓄えられた電力を利用して照明装置１００を動作させることができる。
【００２６】
制御部１５は、例えばマイコン等の処理装置である。制御部１５は、記録スロット１８に差し込まれた記録媒体２１または記憶部（不図示）に予め設定された制御信号を生成し、後述する点灯制御部１３および撮像制御部１６にそれぞれ出力する。
【００２７】
発光ユニット２は、点灯制御部１３、発光素子１４を有する。点灯制御部１３は、電源部１１から供給される直流電流を、複数の発光素子１４へ給電し、発光素子１４の点灯を制御する。
【００２８】
発光素子１４は、シャーシ上の配線パターンによりそれぞれ接続され点灯制御部１３に接続されており、点灯制御部１３から直流出力が供給され、点灯制御部１３により点灯制御される。発光素子１４は、例えばセラミックスで形成された本体に配設されたＬＥＤチップと、このＬＥＤチップを封止するエポキシ系樹脂やシリコーン樹脂等のモールド用の透光性樹脂とを含む。
【００２９】
ＬＥＤチップは、例えば、青色光を発する青色のＬＥＤチップである。透光性樹脂には、蛍光体が混入されており、白色光を出射できるようにするために、青色の光とは補色の関係にある黄色系の光を放射する黄色蛍光体が使用されている。なお、ＬＥＤチップは、例えば赤色光や緑色光を発するものであってもよい。
【００３０】
また、ＬＥＤは、ＬＥＤチップを直接発光ユニット２が有するシャーシまたは基板に実装するようにしてもよく、また、砲弾型のＬＥＤを実装するようにしてもよく、実装方式や形式は、特に限定されるものではない。
【００３１】
撮像ユニット３は、撮像制御部１６、カメラ１７を有する。撮像制御部１６は、カメラ１７による撮像角度を制御する。また、撮像制御部１６は、カメラ１７で撮像された画像を記録スロット１８に差し込まれた記録媒体２１に記録させる。記録媒体２１としては、例えばメモリカード、メモリスティック等の不揮発性メモリを使用することができる。
【００３２】
ここで、記録スロット１８の配置例について説明する。図４〜図６は、実施形態に係る照明装置が備える記録スロットの配置例を示す図である。
【００３３】
図４（ａ）に示すように、記録スロット１８は、遮光カバー５０の発光ユニット２側から着脱可能に配置することができる。このように記録スロット１８を配置した場合、図４（ｂ）に示すように本体部４から発光ユニット２を取り外すことで記録媒体２１の着脱が可能となる。かかる場合、発光素子１４を含む発光バーごと取り外すようにしてもよく、拡散カバー２０のみを取り外すことで記録媒体２１を着脱可能としてもよい。
【００３４】
また、図５（ａ）に示すようにカメラ１７（不図示）が収容された遮光カバー５０をカメラ１７ごと矢印ｒ１に示すように回動させるように構成してもよい。かかる場合、図４（ｂ）に示すように記録スロット１８の動線が発光ユニット２と干渉しない配置となるまで遮光カバー５０を回動させることで記録媒体２１の着脱が可能となる。なお、回動により遮光カバー５０と発光ユニット２とが干渉しないよう遮光カバー５０の端面または角をＲ形状にしてもよい。
【００３５】
また、図６（ａ）に示すように遮光カバー５０の内部に収容された筐体２３の側面に記録スロット１８を配置してもよい。かかる場合、図６（ｂ）に示すように遮光カバー５０を取り外すことで記録媒体２１の着脱が可能となる。なお、筐体２３は、カメラ１７であってもよく、また、カメラ１７を実装した基板（不図示）であってもよい。
【００３６】
図４〜図６に示した記録スロット１８の配置例によれば、記録スロット１８は、記録媒体２１の直接的な着脱が規制されており、記録媒体２１の着脱を実行する前に少なくとも一工程必要となる。このため、記録媒体２１を着脱する権限のない第３者による記録媒体２１の着脱を未然に防止することができる。なお、記録スロット１８の配置例は図示したものに限らず、例えば遮光カバー５０の側面または底面から直接着脱可能としてもよい。かかる実施態様は、例えば照明装置１００を高天井用照明装置として利用する場合に適用することができる。
【００３７】
なお、上記した実施形態では、遮光カバー５０の側壁５２が発光ユニット２とカメラ１７との間の隔壁である例について説明したが、これに限られない。この点について、図７を用いて説明する。
【００３８】
図７は、実施形態の変形例に係る照明装置が備える隔壁を示す図である。図７（ａ）に示すように、発光ユニット２と遮光カバー５０との間に、本体部４からＺ軸正方向側に延びる遮光性の隔壁６２を設けてもよい。かかる場合、遮光カバー５０の側壁５２の高さは、図２に示す高さｈ２を０以下としてもよい。なお、隔壁６２は、本体部４と一体または別体に形成することができる。
【００３９】
また、図７（ｂ）に示すように、平面視で開口５６の外側を囲むように遮光カバー５０の外面５３からＺ軸正方向側に延びる筒状の隔壁７２を設けてもよい。かかる場合、図２に示す撮像可能範囲Ｌ２を干渉しないように隔壁７２の高さや配置等を決定するとよい。
【００４０】
なお、上記した実施形態では、照明装置１００は天井直付けタイプの照明装置として説明したが、これに限らず、例えば埋め込みタイプまたは吊り下げタイプであってもよい。また、照明装置１００は天井ではなく、例えば壁面に取り付けられてもよい。
【００４１】
実施形態に係る照明装置１００は、照明部２とカメラ１７とを具備する。照明部２は、所定の照射面を照明する。カメラ１７は、照射面と向かい合うように照明部２と隣り合う。また、カメラ１７は、照明部２よりも照射面までの距離が大きい。これにより、照明部２からの光が、カメラ１７に照射されにくくなり、画像の不具合を低減することができる。
【００４２】
また、実施形態に係る照明装置１００は、照明部２とカメラ１７との間に、照射面までの距離が照明部２よりも小さい遮光性の隔壁５２をさらに具備する。これにより、画像の不具合をさらに低減することができる。
【００４３】
また、実施形態に係る照明装置１００は、カメラ１７を覆う遮光カバー５０を具備する。遮光カバー５０は、カメラ１７のレンズ１７ａ周りに配置される開口５６と、開口５６の周縁から遮光カバー５０の照射面側の端部５３ａまで末広がり形状に傾斜する傾斜部５５とを有する。これにより、画像の不具合をさらに低減することができるとともにカメラ１７の撮像範囲を広くとることが可能となる。
【００４４】
本発明の実施形態を説明したが、この実施形態は、例として提示したものであり、発明の範囲を限定することは意図していない。この実施形態は、その他の様々な形態で実施されることが可能であり、発明の要旨を逸脱しない範囲で、種々の省略、置き換え、変更を行うことができる。これらの実施形態やその変形は、発明の範囲や要旨に含まれると同様に、特許請求の範囲に記載された発明とその均等の範囲に含まれるものである。
【符号の説明】
【００４５】
１００  照明装置
２  発光ユニット（照明部）
３  撮像ユニット
４  本体部
１４  発光素子
１７  カメラ
２０  拡散カバー
５０  遮光カバー
【図１】
2019169388.tif 000003
【図２】
2019169388.tif 000004
【図３】
2019169388.tif 000005
【図４】
2019169388.tif 000006
【図５】
2019169388.tif 000007
【図６】
2019169388.tif 000008
【図７】
2019169388.tif 000009